(57)【要約】【課題】自動、手動合焦兼用タイプのズームレンズにおいて、ＡＦからＭＦに切り換える際に、ピントずれが発生し、見苦しい映像となる。よってピントずれによるボケを目立たなくするような機構を持つ撮像装置を提供する。【解決手段】物体側から順に、手動合焦のための第１群、変倍群、リレーレンズ群で構成される。ＡＦ用フォーカスレンズ群はリレー群の中に配置されている。ＡＦからＭＦへの切り換えの際、ＡＦ用フォーカスレンズ群の自動復帰に連動して、変倍群が広角端に駆動する。【選択図】        図１
2004294875.tif 000002
【特許請求の範囲】
【請求項１】
物体側から順に、第１のフォーカスレンズ群と、変倍時に光軸に沿って位置可変に駆動される変倍群と、前記変倍群よりも後方に、光軸方向に移動する第２のフォーカスレンズ群を有する撮影光学系と、前記撮影光学系によって撮像面上に結像した被写体像を映像信号に変換する撮像手段と、上記映像信号を所定のフォーマットに変換処理する信号処理手段と、処理された映像信号をもとにオートフォーカス評価値として尖鋭度を算出するオートフォーカス評価手段と、操作部材の手動操作に基づいて上記第１のフォーカスレンズ群を光軸方向に移動させてピント合わせを行う手動による合焦手段と、処理された映像信号の尖鋭度が最大となるように前記第２のフォーカスレンズ群を光軸に沿って移動させて自動焦点調節を行う自動合焦手段を有し、手動合焦モードにおいては、第２のフォーカスレンズは定位置に固定されており、自動合焦モードに切り替わると、第１のフォーカスレンズ群は定位置で固定され、前記第２のフォーカスレンズ群は光軸に沿って移動する自動、手動フォーカス切り換え機能を有する撮像装置において、自動合焦モードから手動合焦モードへの切り換えに連動して、第２のフォーカスレンズ群は定位置に復帰し、同時に変倍群が広角端まで駆動するようにしたことを特徴とする撮像装置。
【発明の詳細な説明】
【０００１】
【発明の属する技術分野】
本発明は、テレビカメラやビデオカメラ等に好適なズームレンズに関し、特に自動焦点検出手段と手動による合焦手段を有するズームレンズに適用される。
【０００２】
【従来の技術】
変倍移動群より物体側に合焦移動群を配置する前玉フォーカス方式は、変倍を行っても、繰り出し量が変化しないため、マニュアルフォーカス方式に有利であることから、手動操作を重視する放送用ズームレンズや業務用ズームレンズにおいて広く採用されている。
【０００３】
一方、変倍移動群より像側に合焦移動群を配置するリアフォーカス方式は、フォーカス群の小型軽量化に有利であることから、オートフォーカス方式のズームレンズに広く採用されている。近年、テレビカメラのズームレンズは、撮影者及び撮影条件の多様化に伴い、操作性及び、その簡便性、機動性を高めることが要求されている。これに対応し、マニュアルフォーカス（以下ＭＦと記す）とオートフォーカス（以下ＡＦと記す）の両方を備え持つズームレンズの要望が高まっている。
【０００４】
特登録２５６１６３７号や実公昭６２−４３２８６号では、これらの点を鑑み、ＡＦ用としては、変倍移動群より像側のレンズ群を使用し、ＭＦ用としては、変倍移動群より物体側のレンズ群を使用しており、ＡＦ／ＭＦ切り換えが可能なズームレンズが提唱されている。
【０００５】
従来のＡＦ／ＭＦ切り換え可能なズームレンズは、物体側から順に、手動合焦のための、第１フォーカスレン群、光軸上を移動して変倍を行う変倍群、変倍に伴って変動する像面を補正するための補正群、結像に寄与するリレーレンズ群で構成されている。自動合焦用の第２のフォーカスレンズ群は、リレーレンズ群の中に配置されている。
【０００６】
【発明が解決しようとする課題】
ＭＦモード動作中においては、第２のフォーカスレンズ群は定位置に固定であり、第１のフォーカスレンズ群により手動で合焦を行う。ＡＦモード切り換え、及び、ＡＦモード動作時においては、第１のフォーカスレンズ群は定位置で固定であり、第２フォーカス群により自動合焦が行われる。ＡＦモードからＭＦモードへ切り換わると、第２フォーカスレンズ群は切り換えに連動して定位置に復帰される。これにより例えば、第１フォーカスレンズ群が無限配置で固定されていたとすると、有限距離にある被写体を撮影している場合、ＡＦモードからＭＦモードへ切り換わるとピントずれが発生し、見苦しい映像となってしまい、撮影に支障をきたすという問題点があった。
【０００７】
本出願に関わる発明の目的は、ＡＦモードからＭＦモードへ切り換える際に生ずるピントずれによる映像のボケを目立たなくするような機構を持つ撮像装置を提供することである。
【０００８】
【課題を解決するための手段】
上記目的を解決するために、本出願に関わる発明は、物体側から順に、第１のフォーカスレンズ群と、変倍時に光軸に沿って位置可変に駆動される変倍群と、前記変倍群よりも後方に、光軸方向に移動する第２のフォーカスレンズ群を有する撮影光学系と、前記撮影光学系によって撮像面上に結像した被写体像を映像信号に変換する撮像手段と、上記映像信号を所定のフォーマットに変換処理する信号処理手段と、処理された映像信号をもとにオートフォーカス評価値として尖鋭度を算出するオートフォーカス評価手段、操作部材の手動操作に基づいて上記第１のフォーカスレンズ群を光軸方向に移動させてピント合わせを行う手動による合焦手段と、処理された映像信号の尖鋭度が最大となるように前記第２のフォーカスレンズ群を光軸に沿って移動させて自動焦点調節を行う自動合焦手段を有し、手動合焦モードにおいては、第２のフォーカスレンズは定位置に固定されており、自動合焦モードに切り替わると、第１のフォーカスレンズ群は定位置で固定され、前記第２のフォーカスレンズ群は光軸に沿って移動する、自動、手動切り換え機能を有する撮像装置において、自動合焦モードから手動合焦モードへの切り換えに連動して、第２のフォーカスレンズ群は定位置に復帰し、同時に変倍群が広角端まで駆動するようにしたことを特徴とするものである。
【０００９】
【発明の実施の形態】
以下、本発明の実施例を図１〜図４に基づき説明する。
【００１０】
図１は本発明による撮像装置の構成を示す概略図である。同図において、１は手動による合焦のためのフォーカスレンズ群、２は変倍レンズ群であり、光軸上を移動して変倍を行うレンズ群２ａと変倍に伴って変動する像面を補正するためのレンズ群２ｂとを有している。３は光量を調節するための絞り装置、４は結像に寄与するリレーレンズ群であり、全ズームレンズ系の焦点距離範囲を変移させる効果を持つ変倍光学系（エクステンダーレンズ）５が挿脱可能な空間を有し、変倍光学系よりも前側にある前側リレーレンズ群４ａ、変倍光学系よりも後側にある後側リレーレンズ群４ｂとから構成されている。本実施例において、第２のフォーカスレンズ群６は後側リレーレンズ群４ｂの中に配置されている。同図では以上の各要素１〜６にてズームレンズが構成されている。７は光信号を電気信号に変換して映像信号として出力するＣＣＤ（撮像素子）、８は映像信号処理回路であり、撮像素子７からの信号にもとづいて映像信号を得ている。９は処理された映像信号をもとにＡＦ評価値として尖鋭度を算出するＡＦ評価部、１０は第２のフォーカスレンズ群６を電気的に駆動するための駆動部、１１はＣＰＵ（中央演算装置）、１２は記録部である。１３は変倍群を電気的に駆動するための駆動部、１４はＡＦ／ＭＦモード切り換えスイッチである。ＡＦ／ＭＦモード切り換えスイッチ１４はＣＰＵ１１によって常に監視されている。
【００１１】
図２はＭＦ動作時のズームレンズの状態図である。ＭＦモードがＯＮの時は、フォーカスレンズ群１により手動合焦が行われる。第２のフォーカスレンズ群６は不動であり、この時の第２フォーカスレンズ群の位置を基準位置として、記録部１２に記録しておく。ＭＦモードからＡＦモードへ切り換わる時、フォーカスレンズ群１は定位置で固定されている。
【００１２】
図３に示すように、ＡＦモードがＯＮの時は、ＣＰＵ１１はＡＦ評価部９で算出された尖鋭度をもとに、尖鋭度が最大値をとるような第２のフォーカスレンズ群６の位置を検知し、フォーカスレンズ群６の駆動部１０に位置指令信号を入力する。駆動部１０はＣＰＵ１１からの位置指令信号をもとに、フォーカスレンズ群６を駆動し、位置制御を行うことで合焦が行われる。
【００１３】
図４に示すように、ＡＦモードからＭＦモードの切り換えが行われると、ＣＰＵ１１はフォーカスレンズ群６の駆動部１０に基準位置に復帰するように指令信号を送り、また同時に変倍群２の駆動部１３に広角端まで駆動するように指令信号を送る。第２のフォーカスレンズ群６の駆動部１０はフォーカスレンズ群６を基準位置まで駆動し、変倍群の駆動部１３は変倍群２を広角端まで駆動し、ＭＦモードでの撮影が開始される。本実施例においては、変倍レンズ群は、変倍群２ａ、補正群２ｂにより構成されているが、複数の群を連動させて変倍を行う多群ズームレンズにおいても本発明は適用できる。また、本実施例では変倍光学系（エクステンダ―）を着脱する空間を有しているが、変倍光学系が存在しなく、着脱空間を有していない光学系においても本発明は適用される。また本実施例において、第２のフォーカスレンズ群は、後側リレーレンズ群の中に配置されているが、前側リレーレンズ群に配置することも可能である。また、ＭＦモードからＡＦモードへ切り換わる時、第１フォーカスレンズ群は無限端、至近端、その他の有限距離など任意の定位置に固定されることが可能である。その場合、第１フォーカスレンズ群の定位置に対応して、第２フォーカスレンズ群の基準位置及び、移動範囲を決めれば良い。
【００１４】
以上のような構成をとることにより、ＡＦモードからＭＦモードに移行する際に、自動的に変倍群が広角端まで駆動することによって、ピントずれによるボケを目立たなくすることが可能であり、鮮鋭な映像を保つことができる。
【００１５】
【発明の効果】
以上説明したように、本発明に関わる撮像装置は、ＡＦモードからＭＦモードに移行する際に、変倍群が広角端まで駆動することにより発生したピントずれを目立たなくすることができ、鮮鋭な像を保ったまま撮影を行うことが可能となる。
【図面の簡単な説明】
【図１】本発明の実施例に関わる撮像装置の構成図
【図２】本発明の実施例に関わるＭＦ動作時でのズームレンズの状態図
【図３】本発明の実施例に関わるＡＦ動作時でのズームレンズの状態図
【図４】本発明の実施例に関わるＡＦ⇒ＭＦ切り換え時でのズームレンズの状態図
【符号の説明】
１  手動合焦のためのフォーカスレンズ群
２  変倍レンズ群
２ａ  変倍レンズ群
２ｂ  像面補正レンズ群
３  開口絞り装置
４  リレーレンズ群
４ａ  前側リレーレンズ群
４ｂ  後側リレーレンズ群
５  エクステンダーレンズ着脱空間
６  第２のフォーカスレンズ群
７  撮像素子
８  映像信号処理回路
９  ＡＦ評価部
１０  第２のフォーカスレンズ群電動駆動部
１１ＣＰＵ（中央演算処理装置）
１２  記録図
１３  変倍群電動駆動部
１４  ＡＦ／ＭＦ切り換え様スイッチ
【図１】
2004294875.tif 000003
【図２】
2004294875.tif 000004
【図３】
2004294875.tif 000005
【図４】
2004294875.tif 000006